(57)【要約】  【課題】  より簡易な機構で、アジャストピンのピン倒れを防止できるＬＰＨ、かつ、このようなＬＰＨを備え、感光体とＬＰＨとの相対位置を調整（一定に）できる画像形成装置を提供する。  【解決手段】  ＬＰＨ２１では、画像形成装置６１本体に固定されている感光体保持部３２と当接する先端を有するアジャストピン２と、そのアジャストピン２の後端がインサート部１を介して埋入されることになるベース３とを含む構成とし、さらに、アジャストピン２を挿入して嵌め合わすことのできる挿入孔１ｃを有するインサート部１を、ベース３に埋設させる。【選択図】      図１
2005186367.tif 000002
【特許請求の範囲】
【請求項１】
当接する先端を備えた位置調整ピンと、その位置調整ピンの後端が埋入されるベースとを含む発光素子配列ヘッドにおいて、
上記位置調整ピンを挿入して嵌め合わすことのできる挿入孔を有する挿入部が、上記ベースに埋設されていることを特徴とする発光素子配列ヘッド。
【請求項２】
当接する先端を備えた位置調整ピンと、その位置調整ピンの後端が埋入されるベースとを含む発光素子配列ヘッドにおいて、
上記位置調整ピンを挿入して嵌め合わすことのできる挿入孔を有する挿入部が、上記ベースに連なって設けられるとともに、上記ベースの一面から突出していることを特徴とする発光素子配列ヘッド。
【請求項３】
上記位置調整ピンの長手における少なくとも一部の表面には、雄ネジまたは雌ネジが設けられる一方、
上記挿入孔の長手における少なくとも一部の表面には、上記の雄ネジまたは雌ネジを螺合させる雌ネジまたは雄ネジが設けられていることを特徴とする請求項１または２に記載の発光素子配列ヘッド。
【請求項４】
上記位置調整ピンには、上記の雌ネジまたは雄ネジが設けられていない上記挿入孔の周囲と嵌合する嵌合部が設けられていることを特徴とする請求項３に記載の発光素子配列ヘッド。
【請求項５】
像担持体を保持する像担持体保持部が、本体に固定されている画像形成装置において、上記像担持体保持部に、請求項１〜４のいずれか１項に記載の発光素子配列ヘッドにおける上記位置調整ピンの先端が当接することで、上記像担持体と上記発光素子配列ヘッドとの間隔を調整することを特徴とする画像形成装置。
【発明の詳細な説明】
【技術分野】
【０００１】
本発明は、露光手段として、ＬＥＤを用いた電子写真方式の画像形成装置（例えば、コピー機やプリンタ、ＦＡＸ等）に関するものである。
【背景技術】
【０００２】
近年、電子写真方式の画像形成装置の小型化が進んでいる。そして、小型化を図るために、露光手段としてＬＥＤプリンタヘッドを用いたものが種々存在する。なぜなら、ＬＥＤプリンタヘッド（ＬＰＨ）は、レーザスキャナーユニット（ＬＳＵ）と異なり、ポリゴンミラーやモーター等が不要でありコンパクトに設計できるためである。したがって、複数の画像形成部を水平方向にかつ一列に配設する、いわゆるタンデム型のカラー画像形成装置において、装置の小型化が可能であり、このようなＬＥＤ露光方式は採用されやすい。
【０００３】
このようなＬＰＨは、通常、複数のＬＥＤ素子を一列に並べて形成されたＬＥＤアレイと、結像手段であるセルフォックレンズアレイとを一体化（ユニット化）させて構成されている。そして、安定した画像を得るためには、このＬＰＨと感光体（像担持体）との距離、すなわち光路長を、所定の範囲に管理する必要がある。そのためには、感光体とＬＰＨとの相対位置を一定にする必要があり、具体的には、感光体に対する深度方向（感光体表面に対して垂直方向）に数十ミクロンのオーダーで厳しく位置調整する必要がある。
【０００４】
そこで、感光体とＬＰＨとの相対位置の精度を高めた画像形成装置が種々提案されている。例えば、図８に示すように、ＬＰＨ１２１の長手の両端に、深度方向と同方向に軸方向を有する位置調整ピン（アジャストピン）１０２を設け、このピン軸を回転させることで、深度方向の調整を行える画像形成装置が提案されている。なお、この図面では、深度方向（ピン軸方向）をＺ方向、ＬＰＨ１２１の長手方向をＸ方向、ＬＰＨ１２１の短手方向（紙面に対して垂直方向）をＹ方向とする（なお、図８では、「Ｙ●」と表現する）。
【０００５】
しかし、このような画像形成装置では、深度方向の調整は可能であるが、アジャストピンのピン軸方向（Ｚ方向）に対する傾き（ピン軸回りの角度の傾き；ピン倒れ）までも規制することはできない。なぜなら、このような画像形成装置では、既存のベース１０３に直接アジャストピン１０２を取り付けたに(埋入したに)すぎず、ピン倒れがベース１０３の強度に依存してしまうためである。
【０００６】
また、特に、アジャストピン１０２において保持される箇所の長さ（保持端長）が、ベース１０３の厚み程度しかない場合、そのアジャストピン１０２の保持されていない箇所の長さ（自由端長）が、保持端長よりも長くなる場合が多く、一層ピン軸方向において傾きを生じやすくなり、結果的に、感光体１３１とＬＰＨ１２１との相対位置に変動をきたす場合が多くなる。このような自体を回避すべく、図９に示すように、アジャストピン１０２のピン軸を挟持することで、アジャストピン１０２の傾き、ひいてはＬＰＨ１２１傾きを防止する画像形成装置が提案されている。
【特許文献１】特開２００２−１４５２４号公報（請求項１、段落〔００４８〕参照）
【発明の開示】
【発明が解決しようとする課題】
【０００７】
しかしながら、特許文献１の画像形成装置では、図９に示すように、ＬＰＨ１２１の両端のアジャストピン１０２（１０２ａ・１０２ｂ）以外にも、そのＬＰＨ１２１のハウジング１１４自体に新たな規制部（挟持部）１１４ａを設ける必要があり、ＬＰＨ１２１が複雑な構成となってしまう。その上、ピン軸の長さの異なるアジャストピン１０２ａ・１０２ｂを用いる必要があり、ＬＰＨ１２１の複雑な構成とあいまって、画像形成装置のコストアップにつながってしまうという問題が生じる。
【０００８】
本発明は、上記の問題点を解決するためになされたものであって、その目的は、より簡単な機構で、アジャストピンが傾かないようにしたＬＰＨ、そして、このようなＬＰＨを備え、感光体とＬＰＨとの相対位置を調整（一定に）できる画像形成装置を提供することにある。
【課題を解決するための手段】
【０００９】
本発明の発光素子配列ヘッドは、当接する先端を備えた位置調整ピンと、その位置調整ピンの後端が埋入されるベースとを含む発光素子配列ヘッドであって、上記位置調整ピンを挿入して嵌め合わすことのできる挿入孔を有する挿入部が、上記ベースに埋設されていることを特徴としている。
【００１０】
これによると、位置調整ピンは挿入部に挿入された後にベースに埋入されることになる。つまり、位置調整ピンは、挿入部を介してベースに取り付けられることになる。そのため、挿入部が、例えばベースよりも強度の高いものである場合、ベースに直接位置調整ピンを取り付ける（埋入する）場合に比べて、確実にその位置調整ピンを挟持することができる。その結果、位置調整ピンのピン倒れ（ピン軸回りの角度の傾き）を防止することができる。つまり、位置調整ピンを挿入できる挿入部という簡易な部材をベースに埋設させるだけで、ピン倒れを防止することができる。
【００１１】
また、例えば挿入部の長手を少なくともベースの厚みよりも長くした場合、挿入部に挿入されることで保持される位置調整ピンの長さ（保持端長）が、例えばベースの厚み方向に設けた挿入孔に位置調整ピンを挿入して保持する場合に比べて長くなる。つまり、本発明の発光素子配列ヘッドでは、位置調整ピンが、ベースの厚みより長い挿入部の挿入孔に挿入されることになるため、必然的に保持端長が長くなる。その結果、位置調整ピンの保持されていない長さ（自由端長）を短くすることができる。
【００１２】
このように、自由端長が短くなる一方、保持端長が長くなると、位置調整ピンを安定した状態で保持することができる。そのため、例えば画像形成装置において、位置調整ピンの先端と、感光体を保持する部材とを当接させることで、発光素子配列ヘッドと感光体との間隔を調整するときに、位置調整ピンのピン軸方向に対する傾き（ピン倒れ）を低減させることができる。
【００１３】
また、本発明の発光素子配列ヘッドは、当接する先端を備えた位置調整ピンと、その位置調整ピンの後端が埋入されるベースとを含む発光素子配列ヘッドであって、上記位置調整ピンを挿入して嵌め合わすことのできる挿入孔を有する挿入部が、上記ベースに連なって設けられるとともに、上記ベースの一面から突出していることを特徴としている。
【００１４】
これによると、挿入部がベースと連なっているため（例えば挿入部とベースとが一体成型されているため）、部品点数を削減させ、コストダウンを図ることができる。その上、別個の挿入部を埋設するときに比べて、積み上げ公差を低減させることになるので、例えばピン倒れを一層低減させることができる。
【００１５】
また、本発明の発光素子配列ヘッドでは、上記位置調整ピンの長手における少なくとも一部の表面には、雄ネジまたは雌ネジが設けられる一方、上記挿入孔の長手における少なくとも一部の表面には、上記の雄ネジまたは雌ネジを螺合させる雌ネジまたは雄ネジが設けられていることが好ましい。
【００１６】
例えば、画像形成装置における発光素子配列ヘッドの調整は、感光体に対する深度方向に対して、数十ミクロンのオーダーの調整のみで充分である。そこで、本発明の発光素子配列ヘッドのように、位置調整ピンおよび挿入孔には、それらの長手の全てに雄ネジまたは雌ネジ、および、雌ネジまたは雄ネジを設けないようにする。その結果、加工費を抑えることができる。
【００１７】
また、本発明の発光素子配列ヘッドでは、上記位置調整ピンには、上記の雌ネジまたは雄ネジが設けられていない上記挿入孔の周囲と嵌合する嵌合部が設けられていることが好ましい。
【００１８】
このような、嵌合部によって、位置調整ピンが一層安定して挿入部に保持されるようになる。
【００１９】
また、本発明の画像形成装置は、像担持体を保持する像担持体保持部が、本体に固定されている画像形成装置であって、上記像担持体保持部に、上述の発光素子配列ヘッドにおける上記位置調整ピンの先端が当接することで、上記像担持体と上記発光素子配列ヘッドとの間隔を調整することを特徴としている。
【００２０】
これによると、位置調整ピンの先端と、像担持体保持部とを当接させることで、発光素子配列ヘッドと像担持体との間隔を調整するときに、位置調整ピンのピン倒れを低減させた画像形成装置となる。
【発明の効果】
【００２１】
本発明の発光素子配列ヘッドによれば、挿入部という部材をベースに埋設させたものに位置調整ピンを挿入するだけで、ピン倒れを防止することができる。つまり、簡易な機構で、ピン倒れを防止できる。
【発明を実施するための最良の形態】
【００２２】
本発明の実施の一形態について、図面に基づいて説明すれば、以下の通りである。
【００２３】
図２は、本発明の画像形成装置（例えばカラープリンター）６１におけるの概略構成図である。なお、以下の説明においては、ＬＰＨの長手方向を光ビームの偏向方向（主走査方向）とし、この偏向方向に対して直交する方向を副走査方向とする。
【００２４】
本発明の画像形成装置６１は、ＬＰＨ（発光素子配列ヘッド）２１、感光体（像担持体）３１、帯電部４１、現像部４２、トナー貯留部４３、搬送ベルト４４、転写部４５、クリーニング部４６、シート収容部５１、搬送部５２、定着部５３、および排紙部５４から構成されている。
【００２５】
なお、本発明の画像形成装置６１は、フルカラータンデム機であるので、４色分（マゼンタ（Ｍ）、シアン（Ｃ）、イエロー（Ｙ）、ブラック（ＢＫ））に相当するＬＰＨ２１・感光体３１・帯電部４１・現像部４２・転写部４５・クリーニング部４６（以下、書き込みユニットとする）が水平方向で、かつ、搬送ベルト４４の回転方向の上流から下流に向かって、Ｍ→Ｃ→Ｙ→ＢＫの順に一列で配設されている。したがって、トナー像は、Ｍ→Ｃ→Ｙ→ＢＫの順に搬送ベルト４４に転写されることになる。なお、現像部４２にトナーを供給するトナー貯留部（ホッパー）４３も上記同様に、Ｍ→Ｃ→Ｙ→ＢＫと配設されている。また、図面上では、便宜的に、感光体３１・トナー貯留部４３にＭ・Ｃ・Ｙ・ＢＫと明示している。
【００２６】
ＬＰＨ２１は、画像データに基づいて、光ビームを感光体３１に照射させ、その感光体３１に静電潜像を形成させるものである。なお、このＬＰＨ２１の詳細については後述する。
【００２７】
感光体（例えば感光体ドラム）３１は、例えばアルミドラムに感光層が積層されたものであり、帯電部４１により、表面が帯電されるようになっている。そして、ＬＰＨ２１からの光ビームを受けた感光体３１の表面に、帯電を減衰させた静電潜像が形成される。なお、上記の感光層は、特に限定するものではないが、例えば耐久性に優れるアモルファスシリコン（ａ―Ｓｉ）等が好ましい。なお、感光体３１は、ドラム形状のものに限定されることはなく、例えばベルト形状（感光体ベルト）のものであっても構わない。
【００２８】
帯電部（帯電チャージャー）４１は、放電（例えばコロナ放電）することで感光体３１の表面を帯電させるものである。例えば帯電部４１は、細いワイヤー等を有しており、これを電極として、高電圧を印加されることで放電するようになっている。
【００２９】
現像部４２は、感光体３１表面の静電潜像にトナーを付着させて、トナー像を形成させるものである（トナーで顕像化させるものである）。この現像部４２内部には、摩擦帯電するトナーと、このトナーを搬送するキャリア等が収容されており、このキャリアによって、静電潜像の近傍までトナーは移動するようになっている。具体的には、トナーは、感光体３１と現像部４２との間に形成された現像電界における電位差によって移動（感光体３１に付着）するようになっている。
【００３０】
トナー貯留部（ホッパー）４３は、現像部４２に供給するトナーを貯留するものである。
【００３１】
搬送ベルト４４は、シート収容部５１から搬送部５２を経たシートを吸着させて、書き込みユニットへと搬送させるものである。なお、この搬送ベルト４４の材料や形状は特に限定されるものではないが、材料は、誘電樹脂が好ましく、形状は、この誘電樹脂をシート状にしたものの両端を互いに重ね合わせて接合したエンドレス形状としたものや、継ぎ目を設けないシームレスベルトが好ましい。
【００３２】
転写部（例えば転写ローラー）４５は、感光体３１表面に形成したトナー像を乱さずに、搬送ベルト４４に吸着されたシートに移行させるものであり、円筒状の搬送ベルト４４の内部に配置されている。そして、トナー像がシートと重なるときに、この転写部４５にはトナーの帯電極性と逆極性の電圧が印加され、その電圧と感光体３１を対向電極にして作られる電界とにより、トナー像をシートに転写させるようになっている。
【００３３】
クリーニング部４６は、トナー像がシートに移行（転写）された後に感光体３１表面に残ったトナー（残留トナー）を除去するものである。例えば、感光体（感光体ドラム）３１の長手方向に線接触するブレード材等が挙げられる。
【００３４】
シート収容部５１は、最終的に画像（トナー像）が印刷されるシート（用紙やＯＨＰ等）を収容するものである。搬送部５２は、シート収容部５１から排紙部５４までのシートの通路のことであり、シートを搬送させるための搬送ローラー対５２ａおよび排紙部５４にシートを排紙するための排紙ローラー対５２ｂが設けられている。また、この搬送部５２に、定着部５３が配設されるようになっている。なお、図２のように、搬送部５２が、定着部５３から上方（排紙部５４）にむかって配設されている場合、その搬送部５２を垂直搬送部（垂直搬送方式）という。
【００３５】
定着部５３は、シートに転写されたトナー像を安定な永久像とするものであり、例えば熱や圧力等のエネルギーを付与することにより、粉体状態のトナー像を溶融させるものである。具体的には、定着ローラー５３ａ・加圧ローラー５３ｂによって、シートを挟み込みながら搬送し、その搬送過程において、熱や圧力等のエネルギーを付与するようになっている。
【００３６】
排紙部５４は、定着部５３を経たシート、すなわち永久像が印刷されたシートを収容するものである。
【００３７】
そして、本発明の画像形成装置６１では、画像データに基づいて、ＬＰＨ２１が、感光体３１に光ビームを発することで、その画像データに基づく静電潜像をその感光体３１表面に形成させる。その後、現像部４２が、静電潜像にトナーを付着させるとともに転写部４５が、搬送ベルト４４上のシートにそのトナー像を転写させる。次に、定着部５３が、そのトナー像の転写されたシートに熱等を加え、永久像とさせるようになっている。なお、画像データを供給するものとして、パーソナルコンピューター（ＰＣ）であっても構わないし、スキャナーで読み込んだ原稿データ（画像データ）であっても構わない。
【００３８】
次に、図３・図４を用いて、本発明の画像形成装置６１およびＬＰＨ２１について説明する。なお、これらの図面では、ＬＰＨ２１の長手方向（主走査方向）をＸ方向、ＬＰＨ２１から感光体３１へ向かう方向、すなわち感光体３１表面に対する垂直方向（深度方向）をＺ方向、ＬＰＨ２１の短手方向をＹ方向とする。また、後述する図１・図４〜図７でのＹ方向（紙面に対して垂直方向）は、「Ｙ●」と表現する。
【００３９】
図３は、感光体３１とＬＰＨ２１との位置関係を示す概略斜視図である。この図に示すように、ＬＰＨ２１は、ＬＥＤアレイ１１、レンズアレイ（セルフォックレンズアレイ）１２、シーリング材１３、アレイ保持部１５、ハウジング１４、ホルダ５、および位置調整部７を含む構成である。
【００４０】
ＬＥＤアレイ１１は、画像データに応じて点灯制御される複数の発光素子（ＬＥＤ素子）が、一列に配置されたものである。レンズアレイ１２は、ＬＥＤアレイ１１からの光を感光体３１表面に結像させるものである。そして、このＬＥＤアレイ１１は、レンズアレイ１２に組み込まれており、この組み立てられたＬＥＤアレイ１１・レンズアレイ１２は、シーリング材１３を介して、アレイ保持部１５上に取り付けられている。なお、シーリング材１３の材質は特に限定されるものではないが、粘着材等が好ましい。
【００４１】
ハウジング１４は、ＬＥＤアレイ１１とこのＬＥＤアレイ１１に電流を供給するための基板４（図１参照）とをつなげるワイヤーボンディング（不図示）を収容するものであり、アレイ保持部１５の下方に取り付けられている。ホルダ５は、基板４や位置調整部７を支持するベース３（図１参照）を収容するものであり、ハウジング１４の下方に取り付けられている。つまり、ホルダ５から上方に向かって、ハウジング１４、アレイ保持部１５、シーリング材１３、レンズアレイ１２（ＬＥＤアレイ１１）が重なるように配設されている。
【００４２】
位置調整部７は、ホルダ５の長手の両端に位置し、そのホルダ５の長手方向に対して垂直に立設されている。そして、この位置調整部７は、感光体３１とＬＰＨ２１との相対的な位置関係を調整するものである。
【００４３】
ここで、感光体３１とＬＰＨ２１との位置関係、および両者の相対的な位置の調整について説明する。
【００４４】
図４は、ＬＰＨ２１の位置決め機構を説明するための正面構成図である。この図に示すように、ＬＰＨ２１と対向している感光体（感光体ドラム）３１は、回転用の軸（回転軸）３１ａを有しており、その回転軸３１ａが、画像形成装置６１本体に固定されている感光体保持部（像担持体保持部）３２に設けられた軸受け孔３２ｂに挿通されることで、画像形成装置６１に取り付けられるようになっている。なお、図４では、便宜上、後述するアジャストピン（位置調整ピン）２を重点的に表現している。
【００４５】
一方、ＬＰＨ２１は、本体フレーム６１ａに設けられたＬＰＨ保持部１６によって保持されている。そして、このＬＰＨ保持部１６には内部に、スプリング２２が設けられており、このスプリング２２は、アジャストピン２のネジ頭部２ｂ（図１参照）と、そのネジ頭部２ｂとベース３との間に介在するバネ２３（図１参照）とを取り囲むように、かつベース面と当接するように配設されている。そのため、このスプリング２２により、ＬＰＨ２１を感光体３１に向けて付勢できるようになっている（押しつけられるようになっている）。
【００４６】
そして、感光体保持部３２には、位置調整部７のアジャストピン２が当接できるようなピン溝３２ａが設けられている。そのため、この位置調整部７（アジャストピン２）をピン溝３２ａに圧接させることにより、ＬＰＨ２１が位置決めできるようになっている。
【００４７】
より具体的には、アジャストピン２を矢印方向（図１参照）に回転させることで、ＬＰＨ２１を深度方向に自在に変えることができるようになっている。そのため、ＬＰＨ保持部１６・本体フレーム６１ａには、アジャストピン２を回転させるための回転用工具（例えば、ドライバー）を挿通するための挿通孔１６ｂ・６１ｂが設けられており、ＬＰＨ２１と感光体３１との相対位置を調整するときには、まず、外部から挿通孔１６ｂ・６１ｂへ回転用工具を挿通し、次に、回転用工具によりアジャストピン２を回転させる。その結果、ＬＰＨ２１をアジャストピン２の長手方向（深度方向）に揺動させることができる。
【００４８】
なお、上述したように、アジャストピン２は、バネ２３（図１参照）により、ＬＰＨ２１から遠ざかる方向（感光体３１から遠ざかる方向）に付勢される一方、スプリング２２により、ＬＰＨ２１を介して付勢力が与えられる。そのため、アジャストピン２は、ピン溝３２ａに常に圧接した状態となり、アジャストピン２は回転するが進退せず、ＬＰＨ２１がアジャストピン２の長手方向に揺動できるようになっている。
【００４９】
ここで、本発明のＬＰＨ２１において、最も特徴的な構成である位置調整部７について、図１を用いて説明する。
【００５０】
位置調整部７は、インサート部（挿入部）１とアジャストピン２とから構成されている。インサート部１は、ベース３の長手方向に対して垂直に、そのベース３に埋め込むように設けられている（埋設されている）。また、インサート部１の長手は、少なくともベース３の厚みの長さよりも長く、かつ、アジャストピン２の長さよりは短くなっていることが好ましい。つまり、そのインサート部１の一部がベース３面から突出するようになっていることが好ましい。なお、インサート部１の形状としては特に限定するものではないが、例えば円筒状の部材等が挙げられる。
【００５１】
また、インサート部１には、アジャストピン２を取り付ける挿入孔１ｃが、貫くように設けられており（貫設されており）、その挿入孔１ｃの軸方向は、インサート部１の長手方向と同方向、すなわち深度方向と同方向となっている。また、挿入孔１ｃには、雌ネジまたは雄ネジが設けられている。なお、挿入孔１ｃにおいて雌ネジまたは雄ネジが設けられている箇所をネジ孔１ａと表現する。
【００５２】
アジャストピン２は、ネジ頭部２ｂを有する棒状のピンであり、その棒状の表面にはネジ部（雄ネジまたは雌ネジ）２ａが設けられている。そして、そのネジ部２ａ（雄ネジまたは雌ネジ）が、インサート部１のネジ孔１ａに嵌め合うようになっている（螺合するようになっている）。したがって、アジャストピン２の軸方向は、深度方向と同方向となり、かつ、そのアジャストピン２の一端（後端；感光体保持部３２と当接しない一端）がインサート部１を介してベース３に埋め込まれることになる（埋入されることになる）。
【００５３】
以上のように、本発明のＬＰＨ２１では、画像形成装置６１本体に固定されている感光体保持部３２と当接する先端を有するアジャストピン２と、そのアジャストピン２の後端がインサート部１を介して埋入されることになるベース３とを含む構成となっている。つまり、アジャストピン２を挿入して嵌め合わせる挿入孔１ｃを有するインサート部１が、ベース３に埋設されている。
【００５４】
このようなインサート部１が、例えばベース３よりも強度の高いものである場合、ベース３に直接アジャストピン２を取り付ける（埋設）する場合に比べて、確実にそのアジャストピン２を挟持することができる。その結果、アジャストピン２のピン倒れを防止することができる。つまり、アジャストピン２を挿入できるインサート部１という簡易な部材をベース３に埋設させるだけで、ピン倒れを防止することができる。
【００５５】
また、インサート部１の長手は、少なくともベース３の厚みよりも長くなっていることが好ましい。
【００５６】
この場合、アジャストピン２の保持される長さ（保持端長）が、従来よりも長くなる。つまり、ベース３のみに設けた挿入孔にアジャストピン２を挿入して保持する場合、アジャストピン２の保持端長は、ベース３の厚みとほぼ同じ長さとなるが、本発明のＬＰＨ２１では、アジャストピン２はインサート部１の挿入孔１ｃに挿入されるようになっており、そのインサート部１は、ベース３の厚みよりも長いため、必然的に保持端長が従来よりも長くなる。その結果、アジャストピン２の保持されていない長さ（自由端長）が従来よりも短くなる。
【００５７】
このように、自由端長が短くなる一方、保持端長が長くなると、アジャストピン２を安定した状態で保持することができる。そのため、アジャストピン２が感光体保持部３２と当接するとき、アジャストピン２のピン軸方向（Ｚ方向）に対する傾き（ピン軸回りの角度の傾き；ピン倒れ）を低減させることができる。つまり、インサート部１という部材をベース３に埋設させるだけで、ＬＰＨ２１のハウジング４を特殊な形状とすることなく（例えばアジャストピン１０２を挟持する挟持部１０４ａ等を設けることなく；図９参照）、アジャストピン２のピン倒れを防止することができる。
【００５８】
なお、上述の説明では、アジャストピン２とインサート部１とを嵌め合わす方法として、アジャストピン２のネジ部２ａとインサート部１のネジ孔１ａとが螺合するものを挙げているが、これに限定するものではない。
【００５９】
また、本発明のＬＰＨ２１では、図１に示すように、インサート部１における挿入孔１ｃの長手の全てに雌ネジまたは雄ネジ（ネジ孔１ａ）を設ける必要はなく、図５に示すように、インサート部１の挿入孔１ｃの長手における少なくとも一部の表面に、雌ネジまたは雄ネジ（ネジ孔１ａ）を設けていればよい。すると、この挿入孔１ｃの雌ネジまたは雄ネジ（ネジ孔１ａ）と嵌め合わされる（螺合される）アジャストピン２も同様に、その長手における少なくとも一部の表面にネジ部（雄ネジまたは雌ネジ）２ａを設ければよいことになる。
【００６０】
要は、アジャストピン２の長手における少なくとも一部の表面には、ネジ部（雄ネジまたは雌ネジ）２ａが設けられる一方、インサート部１の挿入孔１ｃの長手における少なくとも一部の表面には、上記のネジ部２ａを螺合させるネジ孔（雌ネジまたは雄ネジ）１ａが設けられていればよい。
【００６１】
そもそも、ＬＰＨ２１は、感光体３１に対する深度方向に数十ミクロンのオーダーでしか調整されない。そこで、本発明のＬＰＨ２１では、上記のアジャストピン２・インサート部１のように、それらの長手の全てに雄ネジまたは雌ネジ（ネジ部２ａ）、および、雌ネジまたは雄ネジ（ネジ孔１ａ）を設けないようにする。その結果、加工費を抑えることができる。
【００６２】
また、このようにアジャストピン２・インサート部１の少なくとも一部にネジ部２ａ・ネジ孔１ａを設けた場合、アジャストピン２・インサート部１に、ネジ部２ａ・ネジ孔１ａの設けられない箇所が生じる場合がある。そこで、このような箇所の保持力（アジャストピン２とインサート部１との嵌合性）を一層高めるべく、アジャストピン２が挿入孔１ｃと嵌め合うようにする。具体的には、アジャストピン２に、雌ネジまたは雄ネジが設けられていない挿入孔１ｃの周囲と嵌合する嵌合部１ｄを設けるようにする。
【００６３】
このような、アジャストピン２であれば、ネジ部２ａが設けられていることから、深度方向への調整が可能になるとともに、嵌合部１ｄによって、安定してインサート部１に保持されるようになる。
【００６４】
また、本発明のＬＰＨ２１では、図６に示すように、インサート部１が、ベース３に連なって設けられるとともに、ベース３の一面から突出させてもよい。
【００６５】
また、本発明のＬＰＨ２１は、図６に示すように、インサート部１における挿入孔１ｃの長手の全てに雌ネジまたは雄ネジ（ネジ孔１ａ）を設ける必要はなく、図７に示すように、インサート部１の挿入孔１ｃの長手における少なくとも一部の表面に、雌ネジまたは雄ネジ（ネジ孔１ａ）を設けていればよい。なお、この挿入孔１ｃの雌ネジまたは雄ネジ（ネジ孔１ａ）と嵌め合わされる（螺合される）アジャストピン２も同様に、その長手における少なくとも一部の表面にネジ部（雄ネジまたは雌ネジ）２ａを設ければよいことになる。
【００６６】
また、このようにアジャストピン２・インサート部１の少なくとも一部にネジ部２ａ・ネジ孔１ａを設けた場合、アジャストピン２には、雌ネジまたは雄ネジが設けられていない挿入孔１ｃの周囲と嵌合する嵌合部１ｄが設けられていることが好ましい。
【００６７】
このような、図６・図７に示すＬＰＨ２１では、上述した別個のインサート部１を設けたＬＰＨ２１（図１・図５参照）と同様の効果をもたらすとともに、インサート部１をベース３と一体成型することになり、部品点数を削減させ、コストダウンを図ることができる。その上、別個のインサート部１を埋設するときに比べて、積み上げ公差を低減させることができるので、精度よくＬＰＨ２１と感光体３１との相対的位置関係を調整できる。
【００６８】
なお、本発明のＬＰＨ２１およびそれを備えた画像形成装置６１は、上記の実施形態に限定されることはなく、本発明の趣旨を逸脱しない範囲で、種々の変更が可能である。例えば、ＬＰＨ２１は、画像形成装置に限らず、他の装置にも適用は可能であるし、画像形成装置６１は、図２に示すようなフルカラータンデム機に限らず、１つの感光体ドラムから構成されるＯＮＥドラム方式の画像形成装置や、モノカラーの画像形成装置であってもかまわない。
【産業上の利用可能性】
【００６９】
本発明は、位置調整が可能なＬＰＨや、感光体とＬＰＨとの位置調整が必要な画像形成装置に有用である。
【図面の簡単な説明】
【００７０】
【図１】本発明のＬＥＤプリンタヘッド（ＬＰＨ）の位置調整部の概略構成図である。
【図２】本発明の画像形成装置の概略構成図である。
【図３】本発明のＬＰＨと感光体との位置関係を示す斜視図である。
【図４】本発明のＬＰＨの位置決め機構を説明するための正面構成図である。
【図５】図１における位置調整部の他の一例を示す概略構成図である。
【図６】図１・図５における位置調整部の他の一例を示す概略構成図である。
【図７】図１・図５・図６における位置調整部の他の一例を示す概略構成図である。
【図８】従来のＬＰＨの位置調整部の概略構成図である。
【図９】従来のＬＰＨの位置決め機構を説明するための斜視図である。
【符号の説明】
【００７１】
１    インサート部（挿入部）
１ａ  ネジ孔（雌ネジまたは雄ネジ）
１ｃ  挿入孔
１ｄ  嵌合部
２    アジャストピン（位置調整ピン）
２ａ  ネジ部（雄ネジまたは雌ネジ）
３    ベース
５    ホルダ
７    位置調整部
２１    ＬＰＨ（発光素子配列ヘッド）
３１    感光体（像担持体）
３２    感光体保持部（像担持体保持部）
６１    画像形成装置
【図１】
2005186367.tif 000003
【図２】
2005186367.tif 000004
【図３】
2005186367.tif 000005
【図４】
2005186367.tif 000006
【図５】
2005186367.tif 000007
【図６】
2005186367.tif 000008
【図７】
2005186367.tif 000009
【図８】
2005186367.tif 000010
【図９】
2005186367.tif 000011